(57)【特許請求の範囲】
【請求項１】
リモートコントローラにリモートコントローラ側アドレスが設定され、室内機に室内機側アドレスが設定され、上記リモートコントローラが、リモートコントローラ側アドレスを付加した信号を送信したとき、この信号中のリモートコントローラ側アドレスと一致する室内機側アドレスを有する上記室内機が、上記信号を受信してその運転を実行する空気調和装置であって、上記リモートコントローラ側アドレス及び上記室内機側アドレスを切り換える空気調和装置のアドレス切換方法において、
上記室内機に、上記室内機側アドレスを記憶する不揮発性メモリを設け、
この不揮発性メモリに室内機側アドレスが記憶されているか否かを判別し、室内機側アドレスが記憶されている場合は、上記室内機を特定の状態に設定し、且つ、上記リモートコントローラから所定の信号を送信したときに、上記室内機が、上記所定の信号に付加されたリモートコントローラ側アドレスを取り込んで、自己の室内機側アドレスとして上記不揮発性メモリに記憶させ、
上記不揮発性メモリに室内機側アドレスが記憶されていない場合には、所定のアドレスを室内機側アドレスとして上記不揮発性メモリに書き込み、その後、上記室内機を特定の状態に設定し、且つ、上記リモートコントローラから所定の信号を送信したときに、室内機が上記所定の信号に付加されたリモートコントローラ側アドレスを取り込んで、自己の室内機側アドレスとして上記不揮発性メモリに記憶させることを特徴する空気調和装置のアドレス切換方法。
【請求項２】
上記室内機の特定の状態は、展示モード状態であることを特徴とする請求項１に記載の空気調和装置のアドレス切換方法。
【請求項３】
上記リモートコントローラからの所定の信号は、運転開始指令信号であることを特徴とする請求項１または２に記載の空気調和装置のアドレス切換方法。
【請求項４】
リモートコントローラにリモートコントローラ側アドレスが設定され、室内機に室内機側アドレスが設定され、上記リモートコントローラからリモートコントローラ側アドレスが付加された信号が送信されたとき、この信号中のリモートコントローラ側アドレスと一致する室内機側アドレスを有する上記室内機が、上記信号を受信してその運転が制御されるよう構成された空気調和装置において、
上記室内機は、上記室内機側アドレスを記憶する不揮発性メモリを備え、
上記室内機の制御装置は、上記不揮発性メモリに室内機側アドレスが記憶されているか否かを判別し、室内機側アドレスが記憶されている場合は、上記室内機が特定の状態に設定され、且つ、上記リモートコントローラから所定の信号が送信されたときに、当該信号に付加されたリモートコントローラ側アドレスを取り込んで、自己の室内機側アドレスとして上記不揮発性メモリに記憶し、
上記不揮発性メモリに室内機側アドレスが記憶されていない場合には、所定のアドレスを室内機側アドレスとして上記不揮発性メモリに書き込み、その後、上記室内機が特定の状態に設定され、且つ、上記リモートコントローラから所定の信号が送信されたときに、上記所定の信号に付加されたリモートコントローラ側アドレスを取り込んで、自己の室内機側アドレスとして上記不揮発性メモリに記憶するよう構成されたことを特徴する空気調和装置。
【請求項５】
上記室内機の特定の状態は、展示モード状態であることを特徴とする請求項４に記載の空気調和装置。
【請求項６】
上記リモートコントローラからの所定の信号は、運転開始指令信号であることを特徴とする請求項４または５に記載の空気調和装置。
【発明の詳細な説明】
【０００１】
【発明の属する技術分野】
本発明は、リモートコントローラに設定されるリモートコントローラ側アドレス、及び室内機に設定される室内機側アドレスを切り換える空気調和装置のアドレス切換方法、及びこのアドレス切換方法を実施する空気調和装置に関する。
【０００２】
【従来の技術】
一般に、空気調和装置において、同一室内に複数台の室内機が設置され、これらの各室内機を、それぞれに対応したリモートコントローラからの指令信号によって動作させる場合、信号の混信を防止するために、各リモートコントローラに個別のリモートコントローラ側アドレスが設定され、各室内機に個別の室内機側アドレスが設定されている。そして、リモートコントローラが、自己のリモートコントローラ側アドレスを付加した指令信号を送信した時、この信号中のリモートコントローラ側アドレスと一致する室内機側アドレスを有する室内機が、上記指令信号を受信して、その指令信号に対応する動作を実行している。
【０００３】
上述の空気調和装置において、上記リモートコントローラ側アドレス及び室内機側アドレスを変更して切り換える場合、リモートコントローラに設置されたアドレス切換・設定スイッチと、室内機の制御装置の基板に設置されたアドレス切換・設定スイッチとを、それぞれ個別に操作している。
【０００４】
【発明が解決しようとする課題】
上述のように、リモートコントローラ側アドレス及び室内機側アドレスの切換操作は、リモートコントローラ側と室内機側とでそれぞれ個別に実施されなければならないので、アドレス切換操作が煩雑となってしまう。
特に、室内機側アドレスを切り換えるためのアドレス切換・設定スイッチは、室内機の制御装置における基板に設置されているため、その操作が一般のユーザーでは困難であり、通常、サービスマンによって実施されている。
【０００５】
本発明の目的は、上述の事情を考慮してなされたものであり、リモートコントローラ側アドレス及び室内機側アドレスを容易に切り換えることができる空気調和装置のアドレス切換方法及び空気調和装置を提供することにある。
【０００６】
【課題を解決するための手段】
請求項１に記載の発明は、リモートコントローラにリモートコントローラ側アドレスが設定され、室内機に室内機側アドレスが設定され、上記リモートコントローラが、リモートコントローラ側アドレスを付加した信号を送信したとき、この信号中のリモートコントローラ側アドレスと一致する室内機側アドレスを有する上記室内機が、上記信号を受信してその運転を実行する空気調和装置であって、上記リモートコントローラ側アドレス及び上記室内機側アドレスを切り換える空気調和装置のアドレス切換方法において、上記室内機に、上記室内機側アドレスを記憶する不揮発性メモリを設け、この不揮発性メモリに室内機側アドレスが記憶されているか否かを判別し、室内機側アドレスが記憶されている場合は、上記室内機を特定の状態に設定し、且つ、上記リモートコントローラから所定の信号を送信したときに、上記室内機が、上記所定の信号に付加されたリモートコントローラ側アドレスを取り込んで、自己の室内機側アドレスとして上記不揮発性メモリに記憶させ、上記不揮発性メモリに室内機側アドレスが記憶されていない場合には、所定のアドレスを室内機側アドレスとして上記不揮発性メモリに書き込み、その後、上記室内機を特定の状態に設定し、且つ、上記リモートコントローラから所定の信号を送信したときに、室内機が上記所定の信号に付加されたリモートコントローラ側アドレスを取り込んで、自己の室内機側アドレスとして上記不揮発性メモリに記憶させることを特徴するものである。
【０００７】
請求項２に記載の発明は、請求項１に記載の発明において、上記室内機の特定の状態は、展示モード状態であることを特徴とするものである。
【０００８】
請求項３に記載の発明は、請求項１または２に記載の発明において、上記リモートコントローラからの所定の信号は、運転開始指令信号であることを特徴とするものである。
【０００９】
請求項４に記載の発明は、リモートコントローラにリモートコントローラ側アドレスが設定され、室内機に室内機側アドレスが設定され、上記リモートコントローラからリモートコントローラ側アドレスが付加された信号が送信されたとき、この信号中のリモートコントローラ側アドレスと一致する室内機側アドレスを有する上記室内機が、上記信号を受信してその運転が制御されるよう構成された空気調和装置において、上記室内機は、上記室内機側アドレスを記憶する不揮発性メモリを備え、上記室内機の制御装置は、上記不揮発性メモリに室内機側アドレスが記憶されているか否かを判別し、室内機側アドレスが記憶されている場合は、上記室内機が特定の状態に設定され、且つ、上記リモートコントローラから所定の信号が送信されたときに、当該信号に付加されたリモートコントローラ側アドレスを取り込んで、自己の室内機側アドレスとして上記不揮発性メモリに記憶し、上記不揮発性メモリに室内機側アドレスが記憶されていない場合には、所定のアドレスを室内機側アドレスとして上記不揮発性メモリに書き込み、その後、上記室内機が特定の状態に設定され、且つ、上記リモートコントローラから所定の信号が送信されたときに、上記所定の信号に付加されたリモートコントローラ側アドレスを取り込んで、自己の室内機側アドレスとして上記不揮発性メモリに記憶するよう構成されたことを特徴するものである。
【００１０】
請求項５に記載の発明は、請求項４に記載の発明において、上記室内機の特定の状態は、展示モード状態であることを特徴とするものである。
【００１１】
請求項６に記載の発明は、請求項４または５に記載の発明において、上記リモートコントローラからの所定の信号は、運転開始指令信号であることを特徴とするものである。
請求項１乃至６に記載の発明には、次の作用がある。
室内機が特定の状態（例えば展示モード状態）に設定され、且つ、リモートコントローラから所定の信号（例えば運転開始指令信号）が送信されたときに、室内機が、上記信号に付加されたリモートコントローラ側アドレスを取り込んで、自己の室内機側アドレスとして記憶することから、リモートコントローラ側アドレス及び室内機側アドレスを切り換える場合に、まず、リモートコントローラ側アドレスを変更して切り換え、このリモートコントローラ側アドレスを信号に付加してリモートコントローラから送信し、次に、室内機がこの信号を受信して、この信号中のリモートコントローラ側アドレスを取り込んで自己の室内機側アドレスとして記憶し、室内機側アドレスを切り換える。この結果、リモートコントローラ側アドレス及び室内機側アドレスをともに切り換えるときに、両者を個別に切り換える必要がないので、これらのリモートコントローラ側アドレス及び室内機側アドレスの切換を容易に実施できる。
【００１２】
【発明の実施の形態】
以下、本発明の実施の形態を、図面に基づき説明する。
【００１３】
図１は、本発明に係る空気調和装置の一実施の形態を示す室内機、室外機及びリモートコントローラを示す斜視図である。
【００１４】
空気調和装置１０は室外機１１、室内機１２及びリモートコントローラ１３を有してなり、室内機１２が設置された室内を空気調和する。上記室外機１１は、図示しない圧縮機、室外熱交換器及びプロペラファン等を有する。また、上記室内機１２は、図示しない室内熱交換器及びクロスフローファン等を有する。これらの圧縮機、室外熱交換器及び室内熱交換器等が冷媒配管（不図示）にて連結されて、冷凍サイクルが構成される。
【００１５】
図１中の符号１４は、上記冷媒配管、電気配線及びドレンホース等をまとめて表示した配管・配線類１４である。また、符号１７は、室内機１２の空気吹出口に配設されて、この空気吹出口から吹き出される空気の風向きを変更するためのフラップ１７である。
【００１６】
上記リモートコントローラ１３は、その送信部１５から指令信号Ｐを送信し、この指令信号Ｐを室内機１２の受信部１６が受信して、室内機１２は室外機１１と共に、上記指令信号Ｐに対応した冷房または暖房運転等の動作を実施する。
【００１７】
つまり、上記指令信号Ｐには、リモートコントローラ１３に設置されたリモートコントローラ側アドレスが付加されている。また、室内機１２には、室内機側アドレスが設定されている。リモートコントローラ１３からリモートコントローラ側アドレスが付加された指令信号Ｐが送信された時、この指令信号Ｐ中のリモートコントローラ側アドレスと一致する室内機側アドレスを有する室内機１２は、上記指令信号Ｐを受信して、室外機１１と共に、その指令信号Ｐに対応した動作を実施する。
【００１８】
このようなリモートコントローラ側アドレス及び室内機側アドレスの設定によって、同一の室内に複数台の室内機１２が設置され、これらの各室内機１２が、それぞれ個別のリモートコントローラ１３により制御される場合にも、それぞれの室内機１２とリモートコントローラ１３間でなされる指令信号Ｐの混信が防止される。
【００１９】
さて、リモートコントローラ１３へのリモートコントローラ側アドレスの設定は、アドレス切換・設定スイッチ１８の操作によって実施される。また、室内機１２への室内機側アドレスの設定、特に切換（変更）による設定は、この室内機１２の制御装置１９におけるＣＰＵ２０（中央処理演算装置）によって次のようになされる。即ち、制御装置１９のＣＰＵ２０は、室内機１２が特定の状態（本実施の形態では展示モード状態）にあり、且つリモートコントローラ１３から所定の指令信号Ｐ（本実施の形態では運転開始指令信号Ｐ１）が送信された時に、この運転開始指令信号Ｐ１に付加されたリモートコントローラ側アドレスを取り込んで自己の室内機側アドレスとして、外部ＲＯＭ２２に記憶する。これにより、室内機側アドレスが切り換えられて設定される。
【００２０】
上記外部ＲＯＭ２２は、制御装置１９の基板に設置され、ＥＥＰＲＯＭやフラッシュメモリ等の不揮発性メモリである。また、室内機１２の展示（ＤＥＭＯ）モードは、室内機１２の制御装置１９における基板に設置された運転切換スイッチ２１を、図２に示す展示（ＤＥＭＯ）ポジションに位置づけることによって設定されるモードである。この展示（ＤＥＭＯ）モードは、販売店において展示用に室内機１２のみを運転させるモードであり、室外機１１に対して運転指令がなされず、従って室外機１１の圧縮機が停止しているモードである。
【００２１】
なお、運転切換スイッチ２１を運転ポジションに位置づけることによって設定される室内機１２の運転モードは、室内機１２を運転状態とするモードである。また、運転切換スイッチ２１を停止ポジションに位置づけることによって設定される室内機１２の停止モードは、室内機１２を停止させ、リモートコントローラ１３からの指令信号Ｐを受信しないモードである。更に、運転切換スイッチ２１を試運転ポジションに位置づけることによって設定される室内機１２の試運転モードは、サービスマンによるメンテナンス時に実行されるモードである。
【００２２】
次に、リモートコントローラ側アドレス及び室内機側アドレスの切換手順を説明する。
リモートコントローラ１３のリモートコントローラ側アドレスの切換（変更）は、空気調和装置１０のユーザーが、図１に示すリモートコントローラ１３のアドレス切換・設定スイッチ１８を操作することによって実施される。空気調和装置１０のユーザーは、この切り換えたリモートコントローラ側アドレスを付加した運転開始指令信号Ｐ１をリモートコントローラ１３の送信部１５から室内機１２の受信部１６へ向かって送信する。
【００２３】
室内機１２の室内機側アドレスの切換手順は、室内機１２がリモートコントローラ１３からの上記運転開始指令信号Ｐ１を受信した後に、室内機１２における制御装置１９のＣＰＵ２０によって、図３のフローチャートに示すように実施される。
【００２４】
つまり、制御装置１９のＣＰＵ２０は、まず室内機１２に電源が投入された直後か否かを判断し（Ｓ１）、直後であれば、制御装置１９の外部ＲＯＭ２２に記憶されている室内機側アドレスを読み込む（Ｓ２）。
制御装置１９のＣＰＵ２０は、ステップＳ２において、外部ＲＯＭ２２に室内機側アドレスが記憶されていて、その読み込みが実施できるか否かを判断する（Ｓ３）。
【００２５】
制御装置１９のＣＰＵ２０は、外部ＲＯＭ２２に室内機側アドレスが記憶されていないためにその読み込みが実施できなかった時には、一般的なリモートコントローラ側アドレス（Ａ）を室内機側アドレスとして、外部ＲＯＭ２２に仮に記憶させる（Ｓ４）。
【００２６】
ステップＳ１において室内機１２にすでに電源が投入されていた時、または、ステップＳ３において外部ＲＯＭ２２に室内機側アドレスがすでに記憶されている時、または、ステップＳ４において外部ＲＯＭ２２にリモートコントローラ側アドレス（Ａ）を新たに記憶させた後に、制御装置１９のＣＰＵ２０は、室内機１２の運転切換スイッチ２１が展示（ＤＥＭＯ）ポジションに位置づけられて、室内機１２が展示モードになっているか否かを判断する（Ｓ５）。
【００２７】
制御装置１９のＣＰＵ２０は、ステップＳ５において室内機１２が展示モード状態にあると判断した時に、リモートコントローラ１３から運転開始指令信号Ｐ１が送信されたか否かを判断する（Ｓ６）。
制御装置１９のＣＰＵ２０は、このステップＳ６において運転開始指令信号Ｐ１を受信した時に、この運転開始指令信号Ｐ１に付加されたリモートコントローラ側アドレスを取り込んで室内機側アドレスとし、外部ＲＯＭ２２に記憶する（Ｓ７）。
【００２８】
その後、制御装置１９のＣＰＵ２０は、上記運転開始指令信号Ｐ１の指示に従った処理を実行して室内機１２及び室外機１１を稼動させる（Ｓ８）。
【００２９】
ステップＳ５において室内機１２が展示モード状態に設定されていない時、また、ステップＳ６においてリモートコントローラ１３から運転開始指令信号Ｐ１以外の指令信号Ｐ（例えば停止信号等）が送信された時に、制御装置１９のＣＰＵ２０は、まず、リモートコントローラ１３から指令信号Ｐを受信したか否かを判断する（Ｓ９）。
【００３０】
制御装置１９のＣＰＵ２０は、このステップＳ９において指令信号Ｐを受信したときに、次に、リモートコントローラ１３からの指令信号Ｐに付加されたリモートコントローラ側アドレスが、自己の制御装置１９における外部ＲＯＭ２２に記憶された室内機側アドレスと一致するか否かを判断し（Ｓ１０）、一致する場合に、その指令信号Ｐに従った処理を室外機１１及び室内機１２に実行させる（Ｓ８）。
【００３１】
制御装置１９のＣＰＵ２０は、ステップＳ９においてリモートコントローラ１３から何らの指令信号Ｐも受信しなかった時、または、リモートコントローラ１３から指令信号Ｐに付加されたリモートコントローラ側アドレスと、自己の制御装置１９における外部ＲＯＭ２２に記憶された室内機側アドレスとが一致していなかった場合に、何らの処理も実施しない。
【００３２】
以上のように構成されたことから、上記実施の形態によれば次の効果を奏する。
【００３３】
室内機１２が、運転切換スイッチ２１の操作によって展示モード状態に設定され、且つ、リモートコントローラ１３から運転開始指令信号Ｐ１が送信された時に、室内機１２の制御装置１９におけるＣＰＵ２０が、上記運転開始指令信号Ｐ１に付加されたリモートコントローラ側アドレスを取り込んで、自己の室内機側アドレスとして制御装置１９の外部ＲＯＭ２２に記憶することから、リモートコントローラ側アドレス及び室内機側アドレスを切り換える場合に、まず、リモートコントローラ側アドレスを変更して切り換え、このリモートコントローラ側アドレスを運転開始指令信号Ｐ１に付加してリモートコントローラ１３から送信し、次に、室内機１２の制御装置１９におけるＣＰＵ２０がこの運転開始指令信号Ｐ１を受信して、この運転開始指令信号Ｐ１中のリモートコントローラ側アドレスを取り込んで自己のリモートコントローラ１３として外部ＲＯＭ２２に記憶し、室内機側アドレスを切り換える。この結果、リモートコントローラ側アドレス及び室内機側アドレスを共に切り換える場合に、両者を個別に切り換える必要がないので、これらのリモートコントローラ側アドレス及び室内機側アドレスの切り換えを容易に実施できる。
【００３４】
以上、本発明を上記実施の形態に基づいて説明したが、本発明はこれに限定されるものではない。
例えば、上記実施の形態では、室内機側アドレスを切り換えるための条件として、運転切換スイッチ２１の操作により室内機１２が展示モード状態となって、室内機１２がアドレス切換準備状態になっている場合を述べたが、運転切換スイッチ２１の操作により室内機１２が試運転モード状態となって、室内機１２がアドレス切換準備状態になっている場合であってもよく、また、室内機側アドレスを切り換えるための専用のスイッチが室内機に設置され、この専用スイッチが操作されて、室内機１２がアドレス切換準備状態になっている時でもよい。
【００３５】
また、室内機側アドレスを切り換えるための条件として、リモートコントローラ１３から運転開始指令信号Ｐ１が送信される場合を述べたが、設定温度を０℃とする指令信号Ｐが送信される場合や、室内機側アドレス切換専用の信号が送信される場合であってもよい。
【００３６】
【発明の効果】
請求項１乃至３に記載の空気調和装置のアドレス切換方法によれば、リモートコントローラ側アドレス及び室内機側アドレスを容易に切り換えることができる。
また、請求項４乃至６に記載の空気調和装置によれば、リモートコントローラ側アドレス及び室内機側アドレスを容易に切り換えることができる。
【図面の簡単な説明】
【図１】  本発明に係る空気調和装置の一実施の形態を示す室内機、室外機及びリモートコントローラを示す斜視図である。
【図２】  図１の室内機における運転切換スイッチを示す正面図である。
【図３】  図１の室内機における制御装置のＣＰＵが実施するアドレス切換処理を示すフローチャートである。
【符号の説明】
１０  空気調和装置
１２  室内機
１３  リモートコントローラ
１８  アドレス切換・設定スイッチ
１９  制御装置
２０  ＣＰＵ
２１  運転切換スイッチ
２２  外部ＲＯＭ
Ｐ１  運転開始指令信号
【図１】
0003789799.tif 000002
【図２】
0003789799.tif 000003
【図３】
0003789799.tif 000004